(57)【要約】【課題】  棚部材に搭載される電子機器の操作性や視認性を確保しつつ、電子機器の搭載密度を高める。【解決手段】  装置搭載棚１は、ラック２，３に取付けた棚部材４に一種類以上の電子機器２０を搭載するものであり、この棚部材４をその載置面８に電子機器２０を搭載した通常姿勢と、該通常姿勢から正面視軸Ｏ―Ｏを中心として略１８０度回転させて載置面８に電子機器２０を搭載した反転姿勢と、に固定手段（取付面１０と取付穴１３）を介してラック２，３に交互に取付ける。また、棚部材４の正面前部にケーブルガイド１１が設けられていて、このケーブルガイド１１により、電子機器前部に配設されたケーブル取出口１５から延出されたケーブル１６を、載置面８から反対面側に導いてラック２，３側に案内する。【選択図】図６
2007080886.tif 000002
【特許請求の範囲】
【請求項１】
ラックに取付けた棚部材に、一種類以上の電子機器を搭載可能な装置搭載棚であって、
前記棚部材は、載置面に前記電子機器を搭載した通常姿勢と、該通常姿勢から正面視軸を中心として略１８０度回転させて前記載置面に前記電子機器を搭載した反転姿勢と、に前記ラックに取付け可能な固定手段と、
正面前部に設けられ、前記電子機器前部に配設されたケーブル取出口から延出されたケーブルを、前記載置面側からその反対面側に導いて前記ラック側に案内するケーブルガイドと、を備え、
前記棚部材を、前記通常姿勢と前記反転姿勢とに交互に前記ラックに取付けた、
ことを特徴とする装置搭載棚。
【請求項２】
前記ケーブルガイドは、櫛歯状に形成された櫛歯部と、
該櫛歯部の前端部に形成され、前記載置面側からその反対面側に折曲された折曲部と、を有する、
ことを特徴とする請求項１に記載の装置搭載棚。
【請求項３】
前記通常姿勢に取付けられた前記棚部材と、前記反転姿勢に取付けられた前記棚部材と、の夫々の前記ケーブルガイドは、対向する前記折曲部同士が前記ケーブルの案内方向に偏移して配置されている、
ことを特徴とする請求項２に記載の装置搭載棚。
【請求項４】
前記ケーブルは、前記通常姿勢に取付けられた前記棚部材と、前記反転姿勢に取付けられた前記棚部材と、の夫々の前記ケーブルガイド間に形成された空間に収容して案内される、
ことを特徴とする請求項１に記載の装置搭載棚。
【請求項５】
前記反転姿勢で取付けられた前記棚部材に、前記電子機器が天地を逆にして搭載される、
ことを特徴とする請求項１に記載の装置搭載棚。
【発明の詳細な説明】
【技術分野】
【０００１】
本発明は、ＥＩＡ規格やＪＩＳ規格に準拠したラックに複数段の棚を取付け、この棚に一種類以上の電子機器を搭載する装置搭載棚に関する。
【背景技術】
【０００２】
サーバーや通信機器等の各種電子機器の搭載に使用される装置搭載棚は、現在、いわゆる「１９インチ装置搭載棚」が主流となって市場に出回っているが、この装置搭載棚の規格は、もともと米国電子工業会（以下、「ＥＩＡ」という）が定めたものが標準として規定されている。このＥＩＡでは、高さの単位として４４．４５ｍｍ（１．７５インチ＝１Ｕ）が用いられている。このため、現在日本においても、サーバーや通信機器等を搭載する装置搭載棚の標準として、ＥＩＡ規格が用いられている。このようなＥＩＡ規格やＪＩＳ規格に準拠した装置搭載棚を用いることにより、例えば床から天井までの縦のスペースやフロアスペースを有効に利用したり、関連する電子機器を一箇所に集中配置することで、電子機器の保守やメンテナンスを容易に行うことができる。
【０００３】
このようなＥＩＡ規格に準拠した装置搭載棚の場合、電子機器を搭載する高さの最小値は１Ｕ（４４．４５ｍｍ）であるが、この１Ｕの電子機器を実装する狭いエリアに電子機器とケーブルを収納する必要がある。
【０００４】
しかして、従来、図７及び図８に示すように、棚部材１０４を、電子機器１２０の正面側に向けて延長させた平面部１０８を形成し、この平面部１０８にケーブル１１６を載置して該ケーブル１１６の垂れ下がりを防止していた。しかしながら、この場合は電子機器１２０の前面にケーブル１１６を保持する空間（エリア）が存在することとなり、例えば１Ｕ（４４．４５ｍｍ）の高さで電子機器を実装した場合、前記ケーブル１１６により電子機器１２０の正面パネルに配設されたスイッチ類１１７の操作性を損なうおそれがあった。また、このケーブル１１６により、電子機器１２０の正面パネルに配設された表示ランプ１１８の視認性が悪くなったり、不図示のコネクタの挿抜が困難になる等のおそれがあった。
【０００５】
これに対し、従来、装置搭載棚において、サーバー等の各種電子機器を搭載する棚部材を、床から天井方向に所定ピッチで変更可能として、搭載される電子機器の種類や大きさを選ばずに収納可能とした「可動棚板」や、収納した電子機器から延出されるケーブルを保持するための「ケーブルフック」等が公知である（非特許文献１、非特許文献２参照）。
【非特許文献１】サンワサプライ（株）の商品情報、平成１７年８月２２日検索、インターネット<URL:http://direct.sanwa.co.jp/product/ichiran.asp?dir1=furniture/rack/multi/desc&mo...>
【非特許文献２】サンワサプライ（株）の商品情報、平成１７年８月２２日検索、インターネット<URL:http://direct.sanwa.co.jp/product/ichiran.asp?dir1=furniture/server/rack/19/kani...>
【発明の開示】
【発明が解決しようとする課題】
【０００６】
ところで、非特許文献１と非特許文献２に開示された可動棚板とケーブルフックは、装置搭載棚に別々に取付けられるが、通常、このケーブルフックは、可動棚板の前面に略同じ高さで取付けられる。しかしながら、この場合は、例えば電子機器前面から引き出されたケーブルが、可動棚板に搭載された電子機器の前面パネルを覆ってしまい、電子機器前面に配設されたつまみ類の操作性や表示ランプの視認性を損なうという課題があった。
【０００７】
本発明は、斯かる課題を解決するためになされたもので、その目的とするところは、棚部材に搭載される電子機器の操作性や視認性を確保しつつ、電子機器の搭載密度を高め得る装置搭載棚を提供することにある。
【課題を解決するための手段】
【０００８】
本発明によると、棚部材を通常姿勢と反転姿勢とにラックに交互に取付け、かつ電子機器前部のケーブル取出し口から延出されたケーブルを、棚部材の載置面側からその反対面側に導くケーブルガイドを備えたことで、通常姿勢と反転姿勢に取付けられた棚部材間に形成された空間にケーブルを収容することが可能となり、これにより、電子機器の搭載空間とケーブルの収容空間を分離することが可能となる。また、前記ケーブルが電子機器前面を遮るのが防止されて、電子機器の操作性及び視認性の向上が図られる。
【発明の効果】
【０００９】
本発明によれば、電子機器の搭載空間とケーブルの収容空間を分離することができ、これにより、収容された前記ケーブルによって電子機器の前面が覆われることはなく、電子機器の操作性及び視認性の向上を図ることができる。同様に、電子機器の搭載空間とケーブルの収容空間を分離したことで、スペースの有効利用を図りつつ、電子機器の棚部材への搭載密度を高めることができる。
【発明を実施するための最良の形態】
【００１０】
以下、図面に基づき本発明の実施の形態を説明する。
図１は、複数段の棚部材をラックに取付けた装置搭載棚の全体斜視図であり、図２は、棚部材の外観斜視図である。
【００１１】
図１において、装置搭載棚１は、左右両側に配設されたラック２，３と、該左右のラック２，３に取付けられる複数段（図では３段）の棚部材４−１，４−２，４−３と、を有している。これらの棚部材４には、サーバーや通信機器等の各種の電子機器２０が搭載されている。また、左右のラック２，３には、床から天井に沿って夫々レール５、６が取付けられていて、該レール５、６には所定ピッチで多数のネジ穴７が形成されている。
【００１２】
図２に示すように、棚部材４は、前記電子機器２０を載置する載置面８と、その幅方向の左右端側で略直角に起立する起立面９，９と、該起立面９，９の前端部で夫々左外方及び右外方に略直角に折曲された取付面１０，１０とを有している。また、載置面８の正面前部には、電子機器２０の前部から延出されたケーブル１６（図３、図４参照）を、載置面８側からその反対面側（図２の紙面の裏面側）に導いて左右のラック２又は３側に案内するケーブルガイド１１が設けられている。
【００１３】
このケーブルガイド１１は、櫛歯状に形成された櫛歯部１２と、該櫛歯部１２の前端部に形成され、載置面８側からその反対面側に略直角に折曲げられた折曲部１２ａとを有している。なお、ケーブル１６は、櫛歯部１２の隙間２４を介して載置面８側からその反対面側に導かれる。
【００１４】
更に、載置面８には、電子機器２０を取付けるための多数のネジ穴２１が形成されていて、このネジ穴２１を介して、電子機器２０がねじ２２（図４（ｃ）参照）によって取付け固定される。本実施形態では、１つの棚部材４ごとに２個の電子機器２０が左右側に隣接して載置されて搭載されている。また、棚部材４の左右側の取付面１０，１０には、取付穴１３，１３が夫々上下に形成されている。
【００１５】
この取付穴１３，１３は、棚部材４を正面視軸Ｏ−Ｏ（図２参照）を中心として略１８０度回転させた場合に、棚部材４の上下の限界位置が変化しないように回転対称に設けられている。棚部材４は、この取付穴１３とレール５、６に形成されたネジ穴７とで、ボルト１４（図１参照）によりラック２，３に取付け固定される。なお、前記取付面１０と取付穴１３により、固定手段が構成されている。
【００１６】
図３は、棚部材に装置を搭載した状態の外観図であり、図４（ａ）（ｂ）（ｃ）は、夫々その正面図、平面図、側面図である。
本実施形態では、上述した固定手段（取付面１０と取付穴１３）とボルト１４等により、棚部材４を、その載置面８に電子機器２０を搭載する通常姿勢と、該通常姿勢から正面視軸Ｏ−Ｏ（図２参照）を中心として略１８０度回転させて前記載置面８に電子機器２０を搭載する反転姿勢と、に交互にラック２，３に固定可能としている。
【００１７】
すなわち、例えば図１及び図３に示すように、上から１段目と３段目の棚部材４−１、４−３は通常姿勢に取付けられ、また、２段目の棚部材４−２は、通常姿勢から正面視略中央の視軸Ｏ−Ｏ（図２参照）を中心として略１８０度回転させた反転姿勢にてラック２，３に取付けられている。
【００１８】
この場合、図４（ｃ）に示すように、１段目の棚部材４−１の折曲部１２ａ−１は地側（図の下方向）に折曲され、２段目の棚部材４−２の折曲部１２ａ−２は天側（図の上方向）に折曲されていて、これら各折曲部１２ａ−１、１２ａ−２間に形成される狭い空間２５（図４（ｃ）参照）に、ケーブル１６が収容されてラック２（又はラック３）方向に案内される。
【００１９】
また、ケーブルガイド１１は、通常姿勢に取付けられた棚部材４−１、４−３と、反転姿勢に取付けられた棚部材４−２とで、対向する折曲部１２ａ、１２ａ同士が干渉しないように、かつケーブル１６が外部にはみ出さないように、ケーブル１６の案内方向に偏移して配置されている。
【００２０】
例えば、図４（ａ）（ｂ）において、１段目の櫛歯部１２の折曲部１２ａ−１と、２段目の櫛歯部１２の折曲部１２ａ−２は、ケーブル１６の案内方向（図４（ａ）（ｂ）の左右方向）に所定間隔で偏移して配置されている。このため、例えば地側に折曲された折曲部１２ａ−１と、天側に折曲された折曲部１２ａ−２との相互干渉が防止されると共に、途中でケーブル１６が外部にはみ出すのを防止することができる。
【００２１】
更に、電子機器２０の前面パネルには、ケーブル１６を外部に引き出すケーブル取出口１５、操作スイッチ１７、及び表示ランプ１８等が配設されている。また、ケーブル１６は、ケーブルガイド１１によって、例えば１段目の棚部材４−１の載置面８よりも下方位置にて案内され、かつ、２段目の棚部材４−２の載置面８よりも上方位置にて案内されている。
【００２２】
このため、電子機器２０の前方には、操作スイッチ１７や表示ランプ１８等の視界を遮るものは何も存在しないこととなる。これにより、ケーブル１６が、操作スイッチ１７の操作性や表示ランプ１８の視認性に影響を与えることはない。
【００２３】
また、本実施の形態では、１段目の棚部材４−１は通常姿勢に取付けられ、２段目の棚部材４−２は反転姿勢に取付けられ、更に３段目の棚部材４−３は通常姿勢に取付けられていて、これら複数段の棚部材４は、例えば上から数えて奇数段の棚部材４が通常姿勢に、また偶数段の棚部材４が反転姿勢に交互に取付けられている。
【００２４】
このとき、反転姿勢の棚部材４−２への電子機器２０自体の取付け状態は、通常姿勢の棚部材４−１（又は４−３）に電子機器２０を取付けた状態を、そのまま、図２の正面視軸Ｏ−Ｏを中心として略１８０度回転させた状態と同様となっている。これにより、２段目の棚部材４−２に取付けられた電子機器２０は、反転した状態（天と地が逆になった状態）で取付けられることになる。
【００２５】
従って、搭載される電子機器２０の種類によっては、機能維持等の観点から、天と地が逆になった状態での搭載を避けたい場合もある。このような場合は、例えば、現在は電子機器２０の下方からねじを差し込んで締結していたものを、電子機器２０の上面部にねじ穴（図示せず）を形成し、このねじ穴を用いて、電子機器２０の上方からねじを差し込んで棚部材４−２に締結すれば良い。こうすることで、搭載される電子機器２０は天と地が正常の状態で搭載される。
【００２６】
次に、図５及び図６に基づき本実施の形態の作用について説明する。
図５及び図６は、棚部材４を、ＥＩＡ規格の１Ｕ（４４．４５ｍｍ）間隔で取付けた状態を示している。これらの図に示すように、狭い上下空間に電子機器２０と該電子機器２０から延出されたケーブル１６を案内する必要がある。本実施形態では、棚部材４の載置面８に形成したネジ穴２１（図２参照）と、ネジ２２を用いて電子機器２０を棚部材４に強固に搭載すると共に、この棚部材４を固定手段（取付面１０、取付穴１３）により左右のラック２，３に固定している。
【００２７】
そして、棚部材４を反転姿勢でラック２，３に取付ける場合、棚部材４の取付面１０に形成された取付穴１３，１３は、正面視軸Ｏ−Ｏ（図２参照）に対して回転対称に設けられているので、棚部材４の上下限界位置が通常姿勢と反転姿勢とで上下に変動することはない。
【００２８】
また、１段目の棚部材４−１のケーブルガイド１１と、２段目の棚部材４−２のケーブルガイド１１とで形成される空間２５は、棚部材４−１と棚部材４−２を夫々通常姿勢で取付けた場合よりも大きなスペースとして確保されるため、ケーブル収容エリアが広くなり、余裕をもってケーブル１６を収容することができる。
【００２９】
しかも、ケーブルガイド１１の櫛歯部１２に折曲部１２ａを形成したことにより、収納したケーブル１６が前方に突出したり、はみ出したりするのを防止することができる。このため、電子機器２０から延出されたケーブル１６の途中をケーブルバンド等で結束する必要はなくなる。更に、ケーブル１６は、櫛歯部１２の隙間２４から前記空間２５に導いてラック２（又はラック３）方向に案内することができる。
【００３０】
また、収容されたケーブル１６は、例えば１段目及び２段目の棚部材４−１、４−２に関しては、夫々電子機器２０の載置面８と反対面側に導かれるので、このケーブル１６が電子機器２０の前面パネルに配設された操作スイッチ１７等の操作性を損なうことはなく、また、表示ランプ１８等の視認性を損なうこともない。
【００３１】
なお、図示しないが、例えば図４及び図５において、３段目の棚部材４−３から延出されるケーブル１６については、櫛歯部１２の隙間２４から下方に導いてラック２（又はラック３）方向に案内することができる。この場合、３段目の棚部材４−３の下方は床面であるので、操作性の影響の問題は生じない。
【００３２】
すなわち、本実施の形態によれば、電子機器２０の搭載空間（載置面８の上方空間）と、ケーブル１６の収容空間２５とを分離することができ、これにより、収容されたケーブル１６によって電子機器２０の前面が覆われることはない。このため、電子機器２０の操作性及び視認性の向上を図ることができる。また、電子機器２０の搭載空間とケーブル１６の収容空間２５とを分離して、スペースの有効利用を図ることで、電子機器２０の棚部材４への搭載密度を高めることができる。
【００３３】
また、例えば図６で示されるように、２段目の棚部材４−１と３段目の棚部材４−３間に形成される上下方向の空間２６（装置２個分）は、従来のように、隣接する２つの棚部材４、４を通常姿勢で取付けた場合の個々の空間よりも広くなるので、オペレータの手が入りやすくなり、各電子機器２０の前面パネルのツマミ類の操作が容易となる。また、空間が広くなるため、電子機器２０の保守やメンテナンスがし易くなる。
【００３４】
なお、本実施の形態では、床から天井方向に沿ったラック２、３に棚部材４を取付けた場合について説明したが、これに限らず、例えば床面方向に沿ったラック２、３に棚部材４を取付けることもできる。そして、この場合も同様の効果が得られる。
【００３５】
（付記１）
ラックに取付けた棚部材に、一種類以上の電子機器を搭載可能な装置搭載棚であって、
前記棚部材は、載置面に前記電子機器を搭載した通常姿勢と、該通常姿勢から正面視軸を中心として略１８０度回転させて前記載置面に前記電子機器を搭載した反転姿勢と、に前記ラックに取付け可能な固定手段と、
正面前部に設けられ、前記電子機器前部に配設されたケーブル取出口から延出されたケーブルを、前記載置面側からその反対面側に導いて前記ラック側に案内するケーブルガイドと、を備え、
前記棚部材を、前記通常姿勢と前記反転姿勢とに交互に前記ラックに取付けた、
ことを特徴とする装置搭載棚。
（付記２）
前記ケーブルガイドは、櫛歯状に形成された櫛歯部と、
該櫛歯部の前端部に形成され、前記載置面側からその反対面側に折曲された折曲部と、を有する、
ことを特徴とする付記１に記載の装置搭載棚。
（付記３）
前記通常姿勢に取付けられた前記棚部材と、前記反転姿勢に取付けられた前記棚部材と、の夫々の前記ケーブルガイドは、対向する前記折曲部同士が前記ケーブルの案内方向に偏移して配置されている、
ことを特徴とする付記２に記載の装置搭載棚。
（付記４）
前記ケーブルは、前記通常姿勢に取付けられた前記棚部材と、前記反転姿勢に取付けられた前記棚部材と、の夫々の前記ケーブルガイド間に形成された空間に収容して案内される、
ことを特徴とする付記１に記載の装置搭載棚。
（付記５）
前記反転姿勢で取付けられた前記棚部材に、前記電子機器が天地を逆にして搭載される、
ことを特徴とする付記１に記載の装置搭載棚。
（付記６）
前記反転姿勢で取付けられた前記棚部材に、前記電子機器が天地を正常にして搭載される、
ことを特徴とする付記１に記載の装置搭載棚。
【図面の簡単な説明】
【００３６】
【図１】棚部材をラックに取付けた装置搭載棚の全体斜視図である。
【図２】棚部材の外観斜視図である。
【図３】棚部材に電子機器を搭載した状態の外観図である。
【図４】（ａ）（ｂ）（ｃ）は、夫々同上の正面図、平面図、側面図である。
【図５】棚部材をＥＩＡ規格の１Ｕ間隔で取付けた状態の外観図である。
【図６】同上の側面図である。
【図７】棚部材をＥＩＡ規格の１Ｕ間隔で取付けた状態の従来の外観図である。
【図８】同上の側面図である。
【符号の説明】
【００３７】
１      装置搭載棚
２      ラック
３      ラック
４      棚部材
４−１  棚部材
４−２  棚部材
４−３  棚部材
７      ネジ穴
８      載置面
９      起立面
１０    取付面（固定手段）
１１    ケーブルガイド
１２    櫛歯部
１２ａ  折曲部
１３    取付穴（固定手段）
１４    ボルト
１５    ケーブル取出口
１６    ケーブル
１７    操作スイッチ
１８    表示ランプ
２０    電子機器
２１    ネジ穴
２２    ネジ
２４    隙間
２５    空間
【図１】
2007080886.tif 000003
【図２】
2007080886.tif 000004
【図３】
2007080886.tif 000005
【図４】
2007080886.tif 000006
【図５】
2007080886.tif 000007
【図６】
2007080886.tif 000008
【図７】
2007080886.tif 000009
【図８】
2007080886.tif 000010